(57)【要約】【課題】  大きな圧力変動があった場合に振動板が大きく変位することのないようにした無指向性コンデンサマイクロホンユニットおよび無指向性コンデンサマイクロホンを得る。【解決手段】  音響端子１１と、音響端子１１から進入する音波の音圧を受けて振動する振動板３と、振動板３と空隙をおいて対向する固定電極５を備え、振動板３の背部空間が閉鎖されてなる無指向性コンデンサマイクロホンユニットであって、振動板３の背部空間を外部へと連通させる開口部１４を備え、外部の圧力変動によって開口部１４を開放する向きに変位する弁１５、２５を備えている。【選択図】  図１
2010161738.tif 000002
【特許請求の範囲】
【請求項１】
音響端子と、この音響端子から進入する音波の音圧を受けて振動する振動板と、この振動板と空隙をおいて対向する固定電極とを備え、上記振動板の背部空間が閉鎖されてなる無指向性コンデンサマイクロホンユニットであって、
上記振動板の背部空間を外部へと連通させる開口部を備え、
外部の圧力変動によって上記開口部を開放する向きに変位する弁を備えている無指向性コンデンサマイクロホンユニット。
【請求項２】
上記弁は、弾性体からなっていて、上記開口部の近傍に片持ち状に設けられ、外部圧力が安定することよって原状に復帰して上記開口部を密閉する請求項１記載の無指向性コンデンサマイクロホンユニット。
【請求項３】
上記開口部は上記背部空間を密閉する端板に設けられている請求項１又は２記載の無指向性コンデンサマイクロホンユニット。
【請求項４】
上記端板は回路基板である請求項３記載の無指向性コンデンサマイクロホンユニット。
【請求項５】
上記弁は、上記端板の上記背部空間に面する内面と、上記内面の反対側の外面とに設けられている請求項３又は４記載の無指向性コンデンサマイクロホン。
【請求項６】
上記端板の上記内面に設けられた上記弁は上記開口部に正圧がかかることによって上記開口部を開放し、上記端板の上記外面に設けられた上記弁は上記開口部に負圧がかかることによって上記開口部を開放する請求項５記載の無指向性コンデンサマイクロホンユニット。
【請求項７】
無指向性コンデンサマイクロホンユニットがマイクロホンケースに収納されてなる無指向性コンデンサマイクロホンであって、上記無指向性コンデンサマイクロホンユニットは請求項１乃至６のいずれかに記載の無指向性コンデンサマイクロホンユニットである無指向性コンデンサマイクロホン。
【発明の詳細な説明】
【技術分野】
【０００１】
本発明は、大きな圧力変動があった場合に振動板が大きく変位することのないようにした無指向性コンデンサマイクロホンユニットおよび無指向性コンデンサマイクロホンに関するものである。
【背景技術】
【０００２】
無指向性コンデンサマイクロホンユニットは、振動板の背部空間が密閉または密閉に近い状態になっていて、ユニット内部の圧力すなわち上記背部空間の圧力とユニットの外部の圧力すなわち音圧との圧力差で動作する。以下、従来の無指向性コンデンサマイクロホンについて、図４を参照しながら説明する。
【０００３】
図４において、有底円筒状のユニットケース１の底板に相当する部分がマイクロホンユニットの前部（図４において上部）になっていて、底板１２に孔が形成されてこの孔が音響端子１１となっている。ユニットケース１内には、前側から順に、振動板保持リング２、振動板３、スペーサ４、固定電極５、導電筒７、回路基板８が配置されている。導電筒７の外周面とユニットケース１の内周面との間には絶縁筒６が介在している。
【０００４】
振動板３は薄膜からなり、適宜の張力が付与された状態で外周縁部が振動板保持リング２に固着されている。この振動板３の外周縁部と固定電極５の間に、薄いリング状のスペーサ４が介在し、振動板３と固定電極５との間にスペーサ４の厚みと同じ間隔の隙間が形成されている。固定電極５には、導電筒７の内周側の空間に連なる開口５１が適宜数形成されている。導電筒７の前端（図４におけるは上端）は外向きの鍔部７１となっている。絶縁筒６の前端部は内周面が削られて段部６２が形成され、段部６２の外周側は振動板３の方に向かって立ち上がった円形の突堤６１となっている。この突堤６１の内周側に導電筒７の鍔部７１と固定電極５が位置している。上記段部６２に導電筒７の鍔部７１が載っている。上記突堤６１の段部６２からの突出長さは、導電筒７の鍔部７１の厚さと固定電極５の厚さを足した寸法よりも短く、突堤６１とスペーサ４の間には隙間が生じている。
【０００５】
ユニットケース１の後端部は開放していて、この開放後端部は内方に向かって折り曲げられて、回路基板８の外周縁部をケース１の軸線方向内側に向かって押圧している。この押圧力によって、絶縁筒６、導電筒７の鍔部７１、固定電極５、スペーサ４、振動板３、振動板保持リング２がこの順に押され、振動板保持リング２がユニットケース１の上記底板１２に相当する部分の内面に当接することにより、上記各内蔵部品相互が適宜の圧力で押圧され接触している。固定電極５は、導電筒７を介して回路基板８の適宜の回路パターンに電気的に接続されている。振動板３は振動板保持リング２を通じてユニットケース１に電気的につながり、ユニットケース１は回路基板８の適宜の回路パターンに電気的につながっている。
【０００６】
振動板３と固定電極５との間に形成されている微小な空隙は、固定電極５の孔５１を通じて導電筒７の内周側の空間につながっているが、この導電筒７の内周側の空間はほぼ密閉状態になっている。したがって、振動板３の背部空間の圧力とユニットの外部の圧力すなわち振動板３の前面にかかる音圧との圧力差に応じて振動板３が振動し、電気音響変換されて音声信号が出力され、指向特性は無指向性となっている。振動板３と固定電極５とで、空気を誘電体とするコンデンサを構成していて、上記圧力差で振動板３が振動すると、上記コンデンサの容量が変化する。上記コンデンサの電極を構成する振動板３と固定電極５は回路基板８に接続されていて、回路基板８に、上記容量変化を電圧の変化として出力する回路、インピーダンス変換回路などが組み込まれている。
【０００７】
以上のように構成されている無指向性コンデンサマイクロホンユニットにおいて、外部の圧力すなわち大気圧の変動がなければ、振動板３と固定電極５との間隔が所定の間隔に保たれる。したがって、振動板３が音波を受けてその音圧に従って振動すると、所定の感度をもって音声信号に変換されて出力される。しかしながら、大気圧が変動すると、密閉されて一定の圧力に保たれているユニット内部の圧力と大気圧との差が変動し、振動板３と固定電極５との間隔が変動してマイクロホンユニットの感度が変動する。大気圧が上昇すると、図４に矢印Ｐで示すように、振動板３に正圧がかかって振動板３が大気圧で固定電極５に近づく向きに押され、振動板３と固定電極５で構成されるコンデンサの容量が増大してマイクロホンユニットの感度が上昇する。逆に大気圧が低下すると、図４に矢印Ｎで示すように、振動板３に負圧がかかって振動板３が内部の圧力で固定電極５から遠ざかる向きに押され、振動板３と固定電極５で構成されるコンデンサの容量が低下してマイクロホンユニットの感度が低下する。
【０００８】
このような大気圧変動による振動板３の位置変動を防止するために、キャピラリーチューブを装着しあるいは細い隙間を設けて、振動板３の背後の空間を僅かに開放し、内外の圧力差を徐々に解消することができる構造にしている。このように内外の気圧差をなくすことを圧力等価と称している。圧力等価を行うことにより、極めて低い周波数、例えば、０．数Ｈｚ〜数Ｈｚの音波に対して感度が低下するように設計されている。
【０００９】
しかしながら、例えば、地下鉄のホーム上での電車の発着時の圧力変動や、密閉された部屋でのドアの開閉時の圧力変動などのように、急激に圧力が変動すると、上記圧力等価のための構成を備えていても、圧力等価に至るまでの間に振動板３が大きく変位し、コンデンサマイクロホンユニットの感度が大きく変動する。例えば、大気圧が急激に上昇して振動板３に正圧がかかると、振動板３は固定電極５に向かって変位し、感度が上昇する。極端な場合は、振動板３が固定電極５に接し、大きな雑音を発生することがある。大気圧が急激に低下して振動板３に負圧がかかると、振動板３は固定電極５から離れる向きに変位し、感度が低下する。いずれの場合も、振動板３の変位が大きいと、振動板３が破壊することがある。また、振動板３がプラスチックフィルムの場合は、大きな変位によってクリープが発生し、振動板３が元に戻らなくなることもある。
【００１０】
本願に係る発明に関連のある先行技術として、特許文献１および特許文献２記載の発明がある。特許文献１記載の発明は、後部音響端子が塞がれることによって無指向性に切り替えられる可変指向性コンデンサマイクロホンにおいて、後部音響端子側に無指向性成分を補う空気室を備えていることを特徴としている。特許文献２記載の発明は、対向する一対の音波入り口を備えたコンデンサマイクロホン本体をケーシング内に収納するとともに、このケーシングに、上記一対の音波入り口にそれぞれ対応する外部連通路を設け、かつ、一方の外部通路を開閉する開閉スイッチを設けて、指向性と無指向性を選択可能とした携帯電話用マイクロホンに関するものである。
【先行技術文献】
【特許文献】
【００１１】
【特許文献１】特開２００６−３３２９２８号公報
【特許文献２】特開平１０−２９０４９１号公報
【００１２】
特許文献１および特許文献２記載の発明は、後で説明する本願発明とは目的が異なるが、音波の出入り口を開閉することのみに限れば本願発明と共通性があるため、先行技術を開示している文献として特許文献１および特許文献２を挙げた。
【発明の開示】
【発明が解決しようとする課題】
【００１３】
図４を参照して説明した従来の無指向性コンデンサマイクロホンユニットによれば、既に述べたとおり、圧力等価のための構成が付加されていたとしても、急激に圧力変動があると振動板と固定電極との間隔が変動し、感度が変動するとともに、圧力変動が大きい場合は、振動板の破壊、クリープの発生、不快な雑音の発生などの不具合があった。
【００１４】
そこで本発明は、急激な圧力変動があったとしても、感度の変動がなく、振動板の破壊などのダメージを回避することができる無指向性コンデンサマイクロホンユニットおよび無指向性コンデンサマイクロホンを提供することを目的とする。
【課題を解決するための手段】
【００１５】
本発明は、音響端子と、この音響端子から進入する音波の音圧を受けて振動する振動板と、この振動板と空隙をおいて対向する固定電極とを備え、上記振動板の背部空間が閉鎖されてなる無指向性コンデンサマイクロホンユニットであって、上記振動板の背部空間を外部へと連通させる開口部を備え、外部の圧力変動によって上記開口部を開放する向きに変位する弁を備えることを最も主要な特徴とする。
【００１６】
本発明においては特に限定されないが、上記弁は、弾性体からなっていて、上記開口部の近傍に片持ち状に設けられ、外部圧力が安定することよって原状に復帰して上記開口部を密閉することが好ましい。
【００１７】
また、本発明においては特に限定されないが、上記開口部は上記背部空間を密閉する端板に設けられていることが好ましい。
【００１８】
また、本発明においては特に限定されないが、上記端板は回路基板であることが好ましい。
【００１９】
また、本発明においては特に限定されないが、上記弁は、上記端板の上記背部空間に面する内面と、上記内面の反対側の外面とに設けられていることが好ましい。
【００２０】
また、本発明においては特に限定されないが、上記端板の上記内面に設けられた上記弁は上記開口部に正圧がかかることによって上記開口部を開放し、上記端板の上記外面に設けられた上記弁は上記開口部に負圧がかかることによって上記開口部を開放することが好ましい。
【００２１】
本発明はまた、無指向性コンデンサマイクロホンユニットがマイクロホンケースに収納されてなる無指向性コンデンサマイクロホンであって、上記無指向性コンデンサマイクロホンユニットは上記無指向性コンデンサマイクロホンユニットであることを特徴とする。
【発明の効果】
【００２２】
本発明によれば、大きな圧力変動があった場合に振動板が大きく変位することがないため、振動板の破損やクリープの発生、不快な雑音の発生を効果的に防止することができる。
【図面の簡単な説明】
【００２３】
【図１】本発明に係る無指向性コンデンサマイクロホンユニットの実施例を示す縦断面図である。
【図２】上記実施例の一動作態様を示す縦断面図である。
【図３】上記実施例の別の動作態様を示す縦断面図である。
【図４】従来の無指向性コンデンサマイクロホンユニットの例を示す縦断面図である
【発明を実施するための形態】
【００２４】
以下、本願発明に係る無指向性コンデンサマイクロホンユニット及び無指向性コンデンサマイクロホンの実施例を、図１乃至図３を参照しながら説明する。なお、図４に示す従来例の構成と同じ構成部分には同じ符号を付した。
【００２５】
図１において、有底円筒状のユニットケース１の底板１２側は、マイクロホンユニットの前部（図１において上部）になっている。この底板１２に孔が形成され、この孔はユニットケース１の前面側から音波を導入する音響端子１１となっている。ユニットケース１内には、前側から順に、振動板保持リング２、振動板３、スペーサ４、固定電極５、導電筒７、回路基板８が配置されている。導電筒７の外周面とユニットケース１の内周面との間には絶縁筒６が介在している。
【００２６】
振動板３はプラスチックなどを素材とする薄膜からなり、適宜の張力が付与された状態で外周縁部が振動板保持リング２に固着されている。この振動板３の外周縁部と固定電極５の間に、プラスチックなどからなる薄いリング状のスペーサ４が介在し、振動板３と固定電極５との間にスペーサ４の厚みと同じ間隔の空隙が形成されている。固定電極５には、導電筒７の内周側の空間に連なる開口５１が適宜数形成されている。導電筒７の前端（図１におけるは上端）は外向きの鍔部７１となっている。絶縁筒６の前端部は内周面が削られて段部６２が形成され、段部６２の外周側は振動板３の方に向かって立ち上がった円形の突堤６１となっている。この突堤６１の内周側に導電筒７の鍔部７１と固定電極５が位置している。上記段部６２に導電筒７の鍔部７１が載っている。上記突堤６１の段部６２からの突出長さは、導電筒７の鍔部７１の厚さと固定電極５の厚さを足した寸法よりも短く、突堤６１とスペーサ４の間には隙間が生じている。
【００２７】
ユニットケース１の後端部は開放していて、この開放後端部は内方に向かって折り曲げられて、回路基板８の外周縁部をケース１の軸線方向内側に向かって押圧している。符号１３は、ユニットケース１の上記折り曲げ部を示している。この折り曲げ部１３の押圧力によって、絶縁筒６、導電筒７の鍔部７１、固定電極５、スペーサ４、振動板３、振動板保持リング２がこの順に押され、振動板保持リング２がユニットケース１の端板の内面に当接することにより、上記各内蔵部品相互が適宜の圧力で押圧され接触している。固定電極５は、導電筒７を介して回路基板８の適宜の回路パターンに電気的に接続されている。振動板３は振動板保持リング２を通じてユニットケース１に電気的につながり、ユニットケース１は回路基板８の適宜の回路パターンに電気的につながっている。
【００２８】
振動板３と固定電極５との間に形成されている微小な空隙は、固定電極５の孔５１を通じて導電筒７の内周側の空間につながっているが、この導電筒７の内周側の空間はほぼ密閉状態になっている。したがって、振動板３の背部空間の圧力とユニットの外部の圧力すなわち振動板３の前面にかかる音圧との圧力差に応じて振動板３が振動し、電気音響変換されて音声信号が出力され、マイクロホンユニットの指向特性は無指向性となっている。振動板３と固定電極５とで、空気を誘電体とするコンデンサを構成していて、上記圧力差で振動板３が振動すると、上記コンデンサの容量が変化する。上記コンデンサの電極を構成する振動板３と固定電極５は回路基板８に接続されていて、回路基板８に、上記容量変化を電圧の変化として出力する回路、インピーダンス変換回路などが組み込まれている。
【００２９】
ここまで説明してきた構成は図４に示す従来例の構成とほぼ同じであるが、本実施例は以下に述べるような特徴のある構成を備えていて、この点が、従来例と異なっている。
【００３０】
回路基板８には２つの開口部１４が設けられ、この開口部１４をそれぞれ密閉するように、弁１５、２５が各開口部１４に対し１つずつ設けられている。一方の弁１５は回路基板８の導電筒７の内周側の空間に向かう面に設けられ、他方の弁２５は回路基板８のユニットケース１の外側面すなわち上記弁１５の取り付け面とは反対側の面に設けられている。これらの弁１５、２５は、各開口部１４の近傍にそれぞれ片持ち状に設けられている。弁１５、２５は、板状の弾性体からなる。
【００３１】
上記弁１５、２５は、外力が加わらない通常の自然状態では、図１に示すように、回路基板８に密着し、各開口部１４を密閉している。そのため、振動板３の背面側に形成されている空隙およびこれに連なる空気室は、図４に示す従来例について説明したようにほぼ密閉された状態になっていて、この実施例にかかるマイクロホンユニットの指向特性は無指向性となっている。
【００３２】
大気圧が急激に変動してユニットケース１に正圧Ｐがかかった場合、図２に示すように、正圧Ｐによって内側の弁１５が導電筒７の内周側の空間側に押されて変形し、開口部１４が解放される。これによりユニットケース１の外部空間と、導電筒７の内周側の空間との圧力等価を速やかに行うことができるため、振動板３が大きく変位することが防止され、振動板３の破壊や、クリープ現象によって振動板３が現状に復帰することができない、といった不具合が生じることを防止することができる。
【００３３】
上記正圧Ｐがなくなると、弁１５はその弾性力で図１に示すように原状に復帰し、通常の電気音響変換動作を行うことができる。
【００３４】
また、大気圧が急激に変動してユニットケース１に負圧Ｎがかかった場合、図３に示すように、負圧Ｎによって外側の弁２５がユニットケース１の外側に押されて変形し、開口部１４が解放される。これによりユニットケース１の外部空間と、導電筒７の内周側の空間との圧力等価を速やかに行うことができるため、振動板３が大きく変位することが防止され、振動板３の破壊や、クリープ現象によって振動板３が現状に復帰することができない、といった不具合が生じることを防止することができる。
【００３５】
上記負圧Ｎがなくなると、弁２５はその弾性力で図１に示すように原状に復帰し、通常の電気音響変換動作を行うことができる。
【００３６】
図１乃至図３に示す実施例では、回路基板８に形成さている二つの開口部１４の一方に内側の弁１５が、他方に外側の弁２５が設けられているが、例えば、一つの開口部に対し、自然状態では中立位置にあって開口部を閉鎖する１個の弁を設けてもよい。この弁は大気圧が正圧または負圧に変動することによって変位する向きが異なり、正圧、負圧いずれの変動でも、上記弁が開口部を解放するようになっている。
【００３７】
本発明にかかる無指向性コンデンサマイクロホンユニットは、これをマイクロホンケースに収納することによって、無指向性コンデンサマイクロホンを構成することができる。マイクロホンケースには必要に応じてマイクロホンケーブルを接続するためのコネクタを設けてもよい。
【産業上の利用可能性】
【００３８】
本発明に係る無指向性コンデンサマイクロホンユニットおよび無指向性コンデンサマイクロホンの用途の例として、アクティブ型ノイズキャンセルヘッドホンにおけるノイズ検出用マイクロホンがある。ノイズキャンセルヘッドホンにおけるアクティブノイズキャンセル制御には、フィードフォワード制御とフィードバック制御がある。フィードフォワード制御では、マイクロホンがヘッドホンの外側に向けて装着されているため、前に説明したような外気の気圧変動によって不具合が発生する。また、フィードバック制御の場合は、マイクロホンがヘッドホンの内側に装着されているため、ユーザーが装着したときに内部圧力が変動して前述の不具合が発生する。アクティブ型ノイズキャンセルヘッドホンにおけるノイズ検出用マイクロホンとして、本発明に係るマイクロホンユニットまたはマイクロホンを採用すれば、このような不具合を解消することができる。
【符号の説明】
【００３９】
１  ユニットケース
２  振動板保持リング
３  振動板
４  スペーサ
５  固定電極
６  絶縁筒
７  導電筒
８  回路基板
１１  音響端子
１５  弁
２５  弁
【図１】
2010161738.tif 000003
【図２】
2010161738.tif 000004
【図３】
2010161738.tif 000005
【図４】
2010161738.tif 000006